Podtech/llm-jp-corpus-v4-ja_patent huggingface dataset:
(57)【要約】【課題】大直径ボビン８Ａを備えたリール８に、ズラし巻きによって巾広極薄テープを引き出す際に、リールからのテープ回動引き出し位置がリール巾方向に往復移動するのに追従してガイドローラを移動させてテープ回動引き出し位置とガイドローラの距離を常に最短距離に維持して、極薄テープの側縁に無用な引張り力を与えずしかもテープを最後まで使用でき、安定な梱包作業を長時間継続できるテープ回動引き出し案内装置を提供する。【手段】フィルムテープＦがズラし巻きされて水平回転軸９に支持されたテープリール８のテープ引出し側上方にリール回転面に対面し且つリール回転軸９に平行な固定軸１１の基端部１１Ａを機枠１２に支持させ、この固定軸１１に胴部１３Ａを凹湾曲面に形成したプラスチック製の鼓形ガイドローラ１３を軸動可能に嵌合させる。【選択図】  図２
0003107805.tif 000002
【実用新案登録請求の範囲】
【請求項１】
極薄巾広のフィルムテープがズラし巻きされて水平回転軸に支持された巾広テープリールの回動引き出し側上方に前記リール回転面に対面し、且つ該回転軸に平行する固定軸が、その基端部を機枠に支持されると共に先端に抜け出し防止手段が施され、該固定軸に胴部を凹湾曲面に形成した鼓形ガイドローラを軸動可能に嵌合させることによって前記リールからのフィルムテープを前記ガイドローラを経てテーププール入り口のプリフィードローラに案内するようにしたことを特徴とするズラし巻きフィルムテープの回動引き出し案内装置。
【請求項２】
固定軸がテープリール巾と略等しい長さでなる請求項１記載のフィルムテープの回動引き出し案内装置。
【考案の詳細な説明】
【技術分野】
【０００１】
この考案は、フィルム状の極薄巾広梱包テープをズラし巻きしたリールからテープを回動させながら引き出す案内装置に関する。
【背景技術】
【０００２】
巾広極薄テープは、梱包物に柔らかく捲着して結束でき、テープが透明体であれば梱包物表面や内部の状態を視認できるので便利であり、更に必要ならフィルム面にフェルトペンなどで筆記が可能であることからハガキその他の郵便物の梱包に採用されている。
【０００３】
この種の梱包テープは、厚さが0.1〜0.2ｍｍで巾が３ｃｍ以上であって通常の梱包機に使用する場合、テープの側縁が伸長して波打ち状態になり易くテープ走行障害の原因になる。
また、現在使用されている一般の梱包機のバンド案内は、特公平１−５２２４２（特許文献１）の第３図、第４図に示されているように、バンドをできるだけ規定の位置を通過させて引出すように構成されている。このような梱包機に巾広テープを使用するため現在は図１のように巾が狭いリールにフィルムを重ね巻き（通称、「レコード巻き」という）したテープリールを使用している。
このリールではテープ長が短いため頻繁にリールを交換しなければならず作業効率が悪いばかりでなくテープ長をできるだけ長くするためにボビン（巻き芯）直径を小さくするから巻き癖が強くなり、最後のテープまで使用するのは困難であり、これも梱包障害になる。
【０００４】
【特許文献１】特公平１−５２２４２公報
【考案の開示】
【考案が解決しようとする課題】
【０００５】
本案は、巾広のボビンに「ズラし巻き」によってテープ容量を増大させると共に大直径ボビンを採用することによって終端部の最後まで安全に利用できる巾広極薄テープリールを対象とするものであって、従来方式とは反対にリールからのテープ回動引き出し位置がリール巾方向に往復移動するのに追従してガイドローラを移動させてテープ回動引き出し位置とガイドローラの距離を常に最短距離に維持し、テープの側縁に無用な引張り力を与えず安定な梱包作業を継続できるテープ回動引き出し案内装置を提供するものである。
【課題を解決するための手段】
【０００６】
本案装置は、極薄巾広テープがズラし巻きされて水平回転軸に支持されたテープリールのテープ引出し側上方にリール回転面に対面し、回転軸に平行する固定軸の基端部を機枠に支持させ、該固定軸に胴部を凹湾曲面に形成したプラスチック製の鼓形ガイドローラを抜け出しを防止して軸動可能に嵌合させ、リールからのフィルムテープをガイドローラを通してテーププール入り口のプリフィードローラに案内するようにしたものであって固定軸長はテープリール巾と略等しい長さで構成するのがよい。
テープ引取り用の鼓形ガイドローラの湾曲面はテープ巾より大きく構成することは勿論、ローラは、なるべく軽量で、出来れば導電性を備えていることが好ましい。
【考案の効果】
【０００７】
本案装置を採用することによってリール巾の制限が無くなり、ズラし巻きによって極めて長大なフィルムテープを安定に且つ連続して供給でき、従来のようにリールを頻繁に交換する必要が無くなるから作業効率を大幅に改善できる。この他、ガイドローラが軸動してテープ回動引き出し位置と引取りガイドローラ間の距離を最短距離に保持すると共に回動引き出し角度を最小にするからテープ側縁に引張り力を与えない効果がある。
【考案を実施するための最良の形態】
【０００８】
図中、１は極薄テープ梱包機、２は、図示しないガイドフラップを内装しているアーチフレーム、３はシーラユニットであってその構成は公知である。４は、テープの走行を安定にするガイドシュータ、５は正逆転フィードローラ、６は従動ローラである。
７は、テープを滞留させるプールボックス、８はテープリールであって回転支持軸９に装着されて自由に回転する。  リール８は、図３のように大径のボビン８Ａを備えているからテープ終端の巻き癖が少なくなり、プール効果と相俟ってテープを最後まで使用できる。回転軸９は、図のような片持ち支持の他、スタンドなどによる両端支持のどちらでもよい。
【０００９】
１０は、テープ回動引き出し案内装置であって、リール８のテープ回動引き出し側上方にテープ面に対面して設けられている。
１１は、基端部１１Ａを機枠１２に固定した固定軸であって、胴部１３Ａを凹湾曲させた鼓形ローラ１３をテープ引取り用ガイドローラとして軸動可能に遊嵌している。
ローラの長さは８５ｍｍ、外側径４０ｍｍ、ローラ中心の最小径２０ｍｍである。
１４は、固定軸先端の抜け出し防止手段である。  リールから巻き出されるテープＦは、軸動引取りローラ１３とコロローラ１５に案内されてプリフィードローラ１６によってプール７に送給される。
【００１０】
本案装置において、テープの回動引き出し位置は、回動引き出しにつれてリール巾方向に移動するが、ガイドローラ１３が軸動して追従し、テープ回動引き出し位置とガイドローラ間の距離を最短距離に保持すると共に回動引き出し角度を最小にする。
【図面の簡単な説明】
【００１１】
【図１】本案装置を備えた梱包機の全体正面図
【図２】本案装置とリールの関係を示す上面図
【図３】本案で使用するテープリールの側面図
【図４】現在使用中のテープリールの外面図
【符号の説明】
【００１２】
５  正逆転フィードローラ  
７  プールボックス  
８  テープリール
８Ａ  大径ボビン
９  回転軸
１０  回動引き出し案内装置
１１  固定軸
１１Ａ  固定基端部
１３  軸動引取りローラ
１４  先端抜け出し防止用膨大部
【図１】
0003107805.tif 000003
【図２】
0003107805.tif 000004
【図３】
0003107805.tif 000005
【図４】
0003107805.tif 000006
(57)【要約】【課題】  香典返し製品は一般的にハンカチなどの小物類が使用されているが、本考案は調味料類を使用勝手の良い構成に代替させて提供する。【解決手段】  縦・横寸法を凡そ１２ｃｍ〜１６ｃｍ、奥行き寸法を凡そ１ｃｍ程度となした紙製箱体内へ、アルミ箔を使用し凡そ３ｇ〜５ｇ程度の調味料やふりかけ粉などを封入した縦寸法９ｃｍ〜１１ｃｍ、横寸法１ｃｍ〜２ｃｍとなした細長袋体の７個〜１４個を収納させる。このさい、細長袋体はその上下端の１ｃｍ程度を平面状のシール帯になすと共に、該部に切り裂き口を形成したものとなしてある。【選択図】      図４
0003107802.tif 000002
【実用新案登録請求の範囲】
【請求項１】
縦・横寸法を凡そ１２ｃｍ〜１６ｃｍ、奥行き寸法を凡そ１ｃｍ程度となした紙製箱体内へ、アルミ箔を使用し凡そ３ｇ〜５ｇ程度の調味料やふりかけ粉などを封入した縦寸法９ｃｍ〜１１ｃｍ、横寸法１ｃｍ〜２ｃｍとなした細長袋体の７個〜１４個を収納させたことを特徴とする香典返し製品。
【請求項２】
細長袋体はその上下端の１ｃｍ程度を平面状のシール帯になすと共に、該部に切り裂き口を形成したことを特徴とする請求項１記載の香典返し製品。
【請求項３】
切り裂き口をシール帯の上下端縁に対し、鋸歯状に配列したことを特徴とする請求項２記載の香典返し製品。
【考案の詳細な説明】
【技術分野】
【０００１】
本考案は香典返し製品に関する。
【背景技術】
【０００２】
葬儀の当日に供受した香典の返礼としては、各地の習慣により多種多様であるが、一般的には挨拶状と共にハンカチや熨斗袋などの品物を添えて行われている。
【特許文献１】実用新案登録第３０１０９０３号
【考案の開示】
【考案が解決しようとする課題】
【０００３】
従来の香典返し製品はハンカチや熨斗袋などの専ら小物類品であり、これらは頻繁な用途としての使用には適さない。本考案はこのマンネリ化を打破すると共に、用途的にも重宝し且つ簡便な使用を可能にする製品を提供せんとするものである。
【課題を解決するための手段】
【０００４】
本考案の香典返し製品は、縦・横寸法を凡そ１２ｃｍ〜１６ｃｍ、奥行き寸法を凡そ１ｃｍ程度となした紙製箱体内へ、アルミ箔を使用し凡そ３ｇ〜５ｇ程度の調味料やふりかけ粉などを封入した縦寸法９ｃｍ〜１１ｃｍ、横寸法２ｃｍ〜３ｃｍとなした細長袋体の７個〜１４個を収納させたことを特徴とする。
このさい、細長袋体はその上下端の１ｃｍ程度を平面状のシール帯になすと共に、該部に切り裂き口を形成したものとなすのであり、該切り裂き口をシール帯の上下端縁で鋸歯状の配列に作成したものでは、何処の箇所からでも引き裂けるようになるので便利である。
【考案の効果】
【０００５】
本考案品は以上の通り構成するのであり、日常の食事に欠かせない調味料品として使い易い製品となしてあり、即ち従来の兎角使用されないで放置される小物類と異なり、簡便に味噌汁やふりかけなどによる使用を可能になし、早々に故人を偲ぶことのできる上で著効がある。
【考案を実施するための最良の形態】
【０００６】
図１は本考案品で使用する調味料やふりかけ粉などを封入した細長袋体１の一部破断斜視図である。ここに、細長袋体１は材料にアルミ箔を使用し、その大きさは縦寸法Lを凡そ９ｃｍ〜１１ｃｍ、横寸法ｓを凡そ１ｃｍ〜２ｃｍとなし、且つ内部へ凡そ３ｇ〜５ｇ程度の調味料やふりかけ粉２を注入し、その上下端の凡そ１ｃｍ程度を加熱圧着してシール帯１ａ及び１ｂとなしてある。
【０００７】
３は上記シール帯１ａ及び１ｂに設けた切り裂き口であり、該細長袋体１の使用にさいし、該切り裂き口３の箇所を手に持ってその長さ方向へ引き裂くようにすることにより、袋体１内の調味料やふりかけ粉などの適量が取り出せるものとなるのである。
【０００８】
図２は他の実施例を示すものであって、上記実施例では引き裂き口３をシール帯１ａ及び１ｂの夫々れに１箇所設けたものを示したが、本例は各シール帯の上下縁部に対し、鋸歯状の配列に作成した細長袋体１’である。このものでは鋸歯状の何処の場所からも極めて容易に引き裂かれるものとなるので、使用勝手の大変に良いものとなる。
【０００９】
図３は上記の細長袋体１，１’の７箇〜１４箇を並列状態にフィルム包装した封袋４である。
【００１０】
本考案では上記の封袋４となしたものを、或いは細長袋体の７箇〜１４箇を単独に、縦・横寸法を凡そ１２ｃｍ〜１６ｃｍ、奥行き寸法を凡そ１ｃｍとなした紙製箱体内へ収納させるのであり、図４はその収納された香典返し製品５の一部破断斜視図である。
【００１１】
本考案品は以上の通り構成するものであって、葬儀のさいに会葬者の夫々れに挨拶状と共に差出し、お受け取り頂くのであるが本製品は携行に手頃な大きさと重さのものであり、且つ細長袋体は１回分の使い捨て使用に好適な量のものになしてあることから、極めて使用勝手の良いものである。なお、本考案に係る細長袋体にアルミ箔を使用することは、封入物の日光による変色を防止する上で優れたものとなる。
【図面の簡単な説明】
【００１２】
【図１】本考案で使用する調味料やふりかけ粉などを封入した細長袋体の斜視図である。
【図２】上記の他の例である。
【図３】上記の細長袋体の７箇〜１４箇をフィルム包装した封袋である。
【図４】本考案に係る香典返し製品の一部破断斜視図である。
【符号の説明】
【００１３】
１，１’      細長袋体
１ａ，１ｂ    シール帯
２      調味料
３      切り裂き口
４      封袋
５      香典返し製品
【図１】
0003107802.tif 000003
【図２】
0003107802.tif 000004
【図３】
0003107802.tif 000005
【図４】
0003107802.tif 000006
(57)【要約】【課題】      本考案は盾体に加えられる過重外力に対応できる盾本体を得ることを課題とする。【解決手段】      盾本体の裏面に従来例に存しない一体とした逆Ｕ字状、馬蹄形のグリップ体を形成し該グリップ体を手及び下腕部、即ち小手ででも支えられ該グリップ体の握り部位によって、盾本体を上、下、左、右、自在に変位できることを手段とするものである。【選択図】    図１
0003107808.tif 000002
【実用新案登録請求の範囲】
【請求項１】
板状の盾本体と裏面に設けたグリップを具備した盾体であつて、
該、グリップが一体とした逆Ｕ字状の馬蹄形としたことを特徴とする新規な盾体。
【請求項２】
上記のグリップと盾本体とを連結する双体の連結管へ移行用ベルトを挿着したことを特徴とする請求項１に記載の新規な盾体。
【請求項３】
上記の板状の盾本体の裏面の一部に合成樹脂製マット体を展着固設したことを特徴とする請求項１に及び請求項２に記載の新規な盾体。
【請求項４】
上記請求項１に記載のグリップを一体の逆Ｕ字状としたことによって盾体を自在に変位できることを特徴とする請求項１に記載の新規な盾体。
【考案の詳細な説明】
【技術分野】
【０００１】  本考案は、要人の警護、凶悪事件の現場、不法デモ隊の鎮圧等で警察官等が使用して、治安及び自己の身を護るために用いる盾体に関するものである。
【背景技術】
【０００２】  従来の防護用盾は盾本体と該裏面側に設けられた単体或いは双体のグリップにより構成されている。
「特許文献１」  特開平６−６８８５９号
「特許文献２」  特開平２００２−１８１４９７号
【考案の開示】
【考案が解決しようとする課題】
【０００３】  盾体には鉄パイプ、旗竿、投石、銃弾等の外力が掛かり度重なる使用に際しては一カ所のグリップのみで支えることは、手首を痛める重大な欠陥を有した。
又、連射される銃弾に対する対応に全く配慮されず不備であった。
本考案は上記の様に単なるデモ隊の鎮圧、一般警備等に、単体の或いは両手で保持するコの字型グリップで十分であったが、近年蔓延する組織的な暴力テロリズムに対応できる盾本体と該盾を保持できるグリップを得ることを目的とし課題とするものである。
【課題を解決するための手段】
【０００４】  上記のように板状の盾本体の裏面に該盾体に強固に連結する一体とする逆Ｕ字状馬蹄形状の中空金属製パイプ管即ちグリップ管の両長手方向の略中央部と端部に該グリップ管と同一形状の短状連結管を溶着し、該両連結管の端部を盾体の裏面に強固に溶着し、更に馬蹄形状のグリップ管と略同一面状の合成樹脂製発泡マット体を盾体の裏面に展着し固設することを手段としたものである。
【考案の効果】
【０００５】  上述のように盾体の裏面に設けた馬蹄形状のグリップ管としたことによって、握る部位を変化すると該盾体を上、下、左、右、自在に変位できる特段の効果を有し該グリップ管と盾裏面とに展着したマット体によって盾体に加えられる外力に対して従来例に存しない耐久力が得られる効果を有するものである。
【考案の実施をするための最良の形態】
【０００６】  本考案の盾体は、金属製、合成樹脂製等の略平面の板状で形成され、該盾体の裏面に持ち手即ちグリップを従来例に存しない逆Ｕ字状中空パイプ体で形成し、更に該グリップ体と略同寸状の面積を有するマット体を展着固設して構成したものである。
【実施例】
【０００７】  以下、添付図面に基づいて一実施例を説明する。
（１）は盾本体を表し各種の素材で作成された平面状の板状に形成され該裏面上に（２）で表す中空金属製パイプで逆Ｕ字状の馬蹄形状に曲成された持ち手、即ち盾体（１）を保持するグリップ体であり（３）は該グリップ体（２）を盾体（１）に強固に固着する連結管を表し、（４）は該盾本体（１）を他所に移行時に用いる帯体を表し（５）は盾体の裏面にグリップ体（２）と同寸域に展着固設したマット体を表すものである。【０００８】  盾本体（１）の裏面に該盾を逆Ｕ字状グリップ（２）で保持すると共に該盾（１）に外力が加わった場合、片方の曲折部を握り腕部を盾体（１）とグリップ（２）の間隙部に挿入するのであるが、下腕部即ち小手の損傷を避けるため盾体の裏面にマット体（５）を展着固設したものである。
【図面の簡単な説明】
【０００９】
【図１】  本考案の新規な盾体の一実施例を示す説明のための斜視図である。
【符号の説明】
【００１０】      １…盾本体
２…逆Ｕ字状グリップ
３…連結管
４…帯体
５…マット体。
【図１】
0003107808.tif 000003
(57)【要約】【課題】毎日の洗濯物のアイロン掛けは手間のかかるものであり、アイロン掛けの手間を軽減できることは主婦にとっては朗報である。ハンカチは老若を問わず誰もが持ち歩く必需品であり、アイロン掛けを必要とする洗濯物の一つである。本考案は，このハンカチのアイロン掛けの手間を省くことが可能なハンカチ干しを提供することにある。【解決手段】洗濯の終わったハンカチを干す際、濡れたハンカチをアクリル板に貼り付けて干すことにより、全くシワのない乾いたハンカチが得られ、アイロン掛けが不要となる。【選択図】図１
0003107157.tif 000002
【実用新案登録請求の範囲】
【請求項１】
洗濯して濡れたハンカチを、一枚又は複数枚のハンカチ貼付板に貼り、洗濯物干し枠又はハンガーに吊り下げて干す構造を有するハンカチ干し。
【請求項２】
ハンカチ貼付板が一端部の二つのコーナーに穴を有したアクリル樹脂製であって、この貼付板穴に通した金属環に洗濯物干し枠又はハンガーに固定するためのＳ型フック又はひも付き洗濯バサミを有している構造の請求項１記載のハンカチ干し。
【考案の詳細な説明】
【技術分野】
【０００１】
本考案は、ハンカチ干しに関するものである。
【背景技術】
【０００２】
洗濯後にハンカチを干す時は洗濯シワをよく伸ばし洗濯バサミで固定して干し、最後はアイロン掛けで仕上げるのが一般的である。このアイロン掛けの手間を省くことを目的とし、板に貼り付けて干す方法や干し具が提案（例えば特許文献１及び特許文献２参照）されてはいるが収納等に問題があり、使い難いものであった。
【特許文献１】特開平６−２２５９９１号公報
【特許文献２】実開平６−８５６９８号公報
【考案の開示】
【考案が解決しようとする課題】
【０００３】
毎日の洗濯物のアイロン掛けは手間のかかるものであり、アイロン掛けの手間を軽減できることは主婦にとっては朗報である。ハンカチは老若を問わず誰もが持ち歩く必需品であり、アイロン掛けを必要とする洗濯物の一つである。本考案は，このハンカチのアイロン掛けの手間を省くことが可能なハンカチ干しを提供することにある。
【課題を解決するための手段】
【０００４】
洗濯の終わったハンカチを干す際、濡れたハンカチのシワを伸ばしながらアクリル板に貼り付けて干すことにより、全くシワのない乾いたハンカチが得られ、アイロン掛けが不要となる。
【考案の効果】
【０００５】
本考案のハンカチ干しを使用すれば乾いたハンカチ一枚一枚にはアイロンを掛ける手間を省けるものである。又、収納に場所をとらず実用性に優れている。
【考案を実施するための最良の形態】
【０００６】
ハンカチは老若を問わず誰もが持ち歩く必需品であり、四角にたたまれたハンカチは清潔感を感じさせる等、人に与える印象面からも重要である。
【０００７】
本考案はこのハンカチのアイロン掛けを不要にし、毎日の洗濯物のアイロン掛けの手間を少しでも軽減し、主婦の負担を軽くしようとするものである。
【０００８】
図１に本考案のハンカチ干しの斜視図を示す。市販されているものと同種の洗濯干し枠１にハンカチより大きいアクリル樹脂製のハンカチ貼付板２が一端部の二つのコーナーに設けた貼付板穴３、貼付板穴３に通した金属環４、Ｓ型フック５又はひも付き洗濯バサミ６を介して接合され吊り下げられる。ハンカチ貼付板２はＳ型フック５又はひも付き洗濯バサミ６により取り外すことが可能であり、必要に応じてその枚数を調整する。
【０００９】
干すハンカチの枚数が少ない時は、図４に示すようにハンガー１０にハンカチ貼付板２を吊るすこともできる。
【００１０】
洗濯干し枠１は図１に示すような折り曲げ具８を有したものが図２に示すように収納の際二つに折り畳めるので好都合である。しかし小型のもであれば図３に示すように特に折り曲げ具を必要とするものではない。
【００１１】
図５にハンカチ貼付板２の概略を示す。ハンカチ貼付板２は０．５ｍｍ程度のアクリル板を使用し、図５に示すように一端部の二つのコーナーに吊り具のための貼付板穴３を設ける。この貼付板穴３に金属環４を通し、金属環４にＳ型フック５及びひも付き洗濯バサミ６を接続する。洗濯干し枠１やハンガー１０への固定はＳ型フック５又はひも付き洗濯バサミ６を状況に応じて選択して使用する。
【実施例】
【００１２】
図１、図３又は図４のハンカチ干しのハンカチ貼付板２の両面にハンカチを貼り付けて干したが、乾いた状態でもハンカチは剥がれることなくハンカチ貼付板２に接着したままであった。これを剥がしたところ、シワがなくアイロン掛けが不要な洗濯ハンカチが得られた。
【図面の簡単な説明】
【００１３】
【図１】請求項１記載の本考案ハンカチ干しの斜視図である。
【図２】請求項１記載の本考案ハンカチ干しを折り畳んだ状態の概略図である。
【図３】請求項１記載の本考案ハンカチ干しの実施例を示す図である。
【図４】請求項１記載の本考案ハンカチ干しの実施例を示す図である。
【図５】請求項２記載の本考案ハンカチ干し板の概略図である。
【符号の説明】
【００１４】
１  洗濯物干し枠
２  ハンカチ貼付板
３  貼付板穴
４  金属環
５  Ｓ型フック
６  ひも付き洗濯バサミ
７  チェーン
８  折り曲げ具
９  吊りフック
１０  ハンガー
【図１】
0003107157.tif 000003
【図２】
0003107157.tif 000004
【図３】
0003107157.tif 000005
【図４】
0003107157.tif 000006
【図５】
0003107157.tif 000007
(57)【要約】      （修正有）【課題】犬の散歩時に犬の糞処理が発生する。現状はビニール袋にハンドシャベルで糞をすくって入れているが、ビニール袋の口がフワフワして入れずらく、又、袋の口を汚す事がある。【解決手段】改良ハンドシャベル１とビニール袋２を一体形にし、ビニール袋の口を締め付けるリング３を付ける。【選択図】図１
0003107158.tif 000002
【実用新案登録請求の範囲】
【請求項１】
改良ハンドシャベルと糞処理用ビニール袋を一体形にした、犬糞処理道具。
【考案の詳細な説明】
【考案の詳細な説明】
【考案が解決しようとする課題】
【０００１】  犬の散歩時  犬の糞処理が発生する、現状ビニール袋にハンドシャベルで糞をすくって入れているが  ビニール袋の口がフワフワして入れずらい、又  袋の口を汚す事がある。
【考案が解決するための手段】
【０００２】  改良ハンドシャベルとビニール袋を一体形にし、ビニール袋の口を締め付けるリングを付ける。
【考案の効果】
【０００３】  改良ハンドシャベルとビニール袋を一体形にすることにより、片手で正確にビニール袋に入れることが出来るようになり、又  袋の口を汚す事も無くす。
【図面の簡単な説明】
【図１】  改良ハンドシャベルとビニール袋を一体形にした斜視図である、シャベルの取っ手は傾斜している。
【図２】  ビニール袋の口を締め付けるリング正面図である、リングはシャベルの取っ手の傾斜に沿って締め上げる。
【符号の説明】
１  改良ハンドシャベル
２  ビニール袋
３  ビニール袋締め付けリング
【図１】
0003107158.tif 000003
【図２】
0003107158.tif 000004
(57)【要約】【課題】従来の液晶保護シールには、接着剤がある。液晶画面より剥がした後、接着剤が残留する。【解決手段】カバーが透明な素材で構成される、携帯電話の液晶部に装着すれば、液晶画面に密着して張設されるため、隙間が生じることなく、更に、接着剤が使用してないため、カバーを取り外した後は、跡が残らず、カバーの再利用が可能となる。正面部と背面部との間に開口を有する携帯電話用カバーにおいて、携帯電話機種により、機能をそれぞれに合わせることを特徴とする携帯電話用カバーである。【選択図】図１
0003107152.tif 000002
【実用新案登録請求の範囲】
【請求項１】
全体が透明な素材で構成される携帯電話カバー。
【請求項２】
前端に開口を有し、携帯電話の液晶と本体を保護することを特徴とする請求項１記載の携帯電話カバー。
【請求項３】
メーカーや機種によって形が異なる携帯電話の液晶と本体をモデルとしてデザインされるため、携帯電話の機種毎に対応する。各種携帯電話の液晶と本体に隙間なく正確に被せられると同時に、携帯電話の操作がスムーズに行われることも考案に入れて、携帯電話の機能に合わせてデザインされることを特徴とする請求項１記載の携帯電話カバー。
【考案の詳細な説明】
【技術分野】
【０００１】この考案は、携帯電話の液晶部に装着したまま、液晶保護のみならず、携帯電話本体も保護できるようにした携帯電話カバーに関するものである。
【背景技術】
【０００２】従来の液晶保護シールは、液晶に貼り付けるために、接着剤が要するタイプであることが知られている。
【考案の開示】
【考案が解決しようとする課題】
【０００３】しかし、このようなタイプの液晶保護シールを液晶部分より剥がした後、接着剤が液晶表面に残留し、べた付きがあるデメリットがあった。【０００４】この考案は、上記実情に鑑み、全体が透明な素材で構成され、正面部と背面部との間に開口を有する携帯電話用カバーにおいて、携帯電話機種により、機能をそれぞれに合わせることを特徴とする携帯電話用カバーを提案するものである。
【考案の効果】
【０００５】この考案により、カバーが透明な素材で構成される、携帯電話の液晶部に装着すれば、液晶画面に密着して張設されるため、隙間が生じることなく、更に、接着剤が使用してないため、カバーを取り外した後は、跡が残らず、カバーの再利用が可能となる。
【考案を実施するための最良の形態】
【０００６】この考案では、カバーが透明な素材で構成される携帯電話の液晶部に装着すれば、液晶画面に密着し、張設されるため、隙間が生じることなく、擦れることもなく、液晶画面を容易に確認できる、更に、接着剤が使用していないため、カバーを取り外した後、跡が残らず、カバーの再利用が可能となる。
【実施例】
【０００７】以下、この考案を図示の実施例に基づいて詳細に説明する。８はこの考案に関わるカバーであり、カバー８は正面部９と、背面部１０と、左側面部１１と、右側面部１２とから構成され、更に、その前端には開口部１３を有する。カバー本体８にアンテナ穴１、止め穴２、スピーカー穴３、カメラ穴４、フラッシュ穴５、ズームボタン穴７が設けられている。【０００８】この考案は以上のように構成され、使用に際しては携帯電話は、液晶を正面部９に向けて開口部１３よりカバー８内に装着される、透明な素材で構成される正面部９が液晶面上に密着して張設され、隙間が生じることなく、擦れることなく、液晶画面を容易に確認する。【０００９】携帯電話機種により、機能にそれぞれに合わせる穴が設けられてある、携帯電話の操作はスムーズに行える。
【図面の簡単な説明】
【図１】  この考案の実施例を示す正面部方向からの視線図
【図２】  同上の実施例における背面部方向からの視線図
【図３】  同上の実施例における左側面図
【図４】  同上の実施例における右側面図
【符号の説明】
１はアンテナ穴
２は折り畳んだ時の止め穴
３はスピーカー穴
４はカメラ穴
５はフラッシュ穴
６はシャッター穴
７はズームボタン穴
８はカバー本体
９は正面部
１０は背面部
１１は左側面部
１２は右側面部
１３は開口部
【図１】
0003107152.tif 000003
【図２】
0003107152.tif 000004
【図３】
0003107152.tif 000005
【図４】
0003107152.tif 000006
【手続補正書】
【提出日】平成16年9月10日(2004.9.10)
【手続補正１】
【補正対象書類名】実用新案登録請求の範囲
【補正対象項目名】全文
【補正方法】変更
【補正の内容】
【実用新案登録請求の範囲】
【請求項１】
携帯電話本体の液晶部の形をかたどり、液晶部にフィットするように全体が透明な素材で作られた携帯電話カバー。
【請求項２】
携帯電話本体の液晶部と容易に着脱できる開口を有し、液晶部を保護することを特徴とする請求項１記載の携帯電話カバー。
(57)【要約】      （修正有）【課題】本考案は大局的には地球の温暖化防止、局地的には都市部のヒートアイランド現象を抑制するためのものである。【解決手段】本考案は構造材料としては比較的比熱の大きい木材によって被覆遮蔽することで建物を太陽光から温まりにくくする。また木材木口の吸水性、保水性を活用することで蒸発熱による周辺大気温度を降下させる。【選択図】図１
0003107151.tif 000002
【実用新案登録請求の範囲】
【請求項１】
木材を輪切りにした断面である木口の吸水性、吸音性を利用するため、木口を表面にした円板を型枠に平面的に格納したパネル。
【考案の詳細な説明】
【技術分野】
【０００１】  本考案は、木材を輪切り加工して得られる断面である木口を表面にした円板状の木片を平面的に配列し、型枠に格納したパネル状のものである。
【背景技術】
【０００２】  屋上緑化がある。【０００３】  金属製防音壁がある。木製防音壁もあるが本考案のように木口を活用していない。
【考案の開示】
【考案が解決しようとする課題】
【０００４】  近年、都市部はヒートアイランド現象による温度上昇が問題になっている。一方森林部は十分な間伐が進まず、荒廃が始まっている。この全く異なった二つの国が抱える問題に対し本考案が解決の一助になる。
【課題を解決するための手段】
【０００５】  ヒートアイランド現象の原因の一つとして、太陽熱が都市部の構造物の屋根などに伝わり、それらの材料には比熱が小さいものが多いため簡単に温まる。温まった屋根などが大気温度に均衡するまで昼間、夜間を問わず放熱するため大気温度の上昇に繋がる。その種の温度上昇を本考案のパネルによって抑制を計る。
すなわち、パネルによって木材より比熱の小さい材料が使われている屋根材などに直接太陽光が照射しないように遮る。次に降雨時にはこのパネルは木口から簡単に吸水し、その雨水を保水する。その水分は降雨後の太陽光によって木口から蒸発を始める。その時周辺に長時間に亘り蒸発熱による温度降下が生じ、大気温度を降下させる効果を発揮する。
一方、森林部の荒廃対策として新用途が待たれている間伐材にこの円板状木片として活用させることによって、間伐材の処分に道が拓け、結果として森林の蘇生に繋がる。
【考案の効果】
【０００６】  建物の屋上材に直接照射する太陽光を本考案により遮ることで、屋上材の温度上昇を抑制することになり、ヒートアイランド現象が緩和される。また建物の冷房エネルギーの節減にも繋がる。【０００７】  本考案の木製円板が雨水や散水にて保水した水分による蒸発熱により周辺大気温度が降下し、ヒートアイランド現象が緩和される。【０００８】  本考案の木製円板が騒音を吸収するため防音効果がある。
【考案を実施するための最良の形態】
【０００９】  建物屋上を被覆する形で屋上に設置する。【００１０】  道路などの防音壁として用いる。
【図面の簡単な説明】
【００１１】
【図１】  本考案の遮熱・吸水保水パネルの表面図である。
【図２】  本考案の遮熱・吸水保水パネルの裏面図である。
【図３】  本考案の遮熱・吸水保水パネルの裏面Ａ部詳細である。
【図４】  本考案の遮熱・吸水保水パネルの裏面Ｂ部詳細である。
【図１】
0003107151.tif 000003
【図２】
0003107151.tif 000004
【図３】
0003107151.tif 000005
【図４】
0003107151.tif 000006
(57)【要約】【課題】  多数の単一な組合式物置棚を組合わせて一つの物置棚にするための組合式物置板用フックを提供する。【解決手段】  物置板１は係止体２と一体成形された構造である。係止体２の前側には溝３が設けられている。係止体が物置板の四つの角部にある鉄製素子と係合するために、前記溝の他側には貫通孔が開けられている。係止体２にある溝３は物置棚４の鉛直チューブ５と合わせて係止すると、一つの物置棚４になる。これにより快速に組立てて堅実な物置棚とすることが可能である。また、物置板にあるフックの組み合わせは、係止体２の溝３により複数の物置棚を一つの物置棚に組み合わせることが可能である。二つの物置板１を利用し、物置板１の係止体２の溝３により、物置棚４の鉛直チューブ５が二つの物置板１間の溝３と合って係合可能となり、ひいては複数の物置棚を一つの物置棚４として組み合わせることが可能である。【選択図】    図３
0003107135.tif 000002
【実用新案登録請求の範囲】
【請求項１】
係止体は物置板と一体成形され、前記係止体の前側には溝が設けられていることを特徴とする組合式物置板用フック。
【請求項２】
係止体の前側には溝が設けられ、前記係止体と物置板の四つの角部にある鉄製素子とが係合するために、前記溝の他側には貫通孔が開けられていることを特徴とする組合式物置板用フック。
【考案の詳細な説明】
【技術分野】
【０００１】
本考案は、組合式物置板用フックに関する。
【背景技術】
【０００２】
物置棚は家具として広汎に使用されている。市販している物置棚の仕様が極めて多い。樹脂製の物置棚や、金属製の物置棚もある。なお、物置棚の構造は物置板と枠体とを含み、それらを組合わせると、単一の組合式物置棚になる。
【考案の開示】
【考案が解決しようとする課題】
【０００３】
しかしながら上述のような物置棚は多数の物置棚を組み合わせて一つの大きな物置棚にすることができず、より多くの品物を収容することができない。
【０００４】
したがって本考案の目的は、多数の単一な組合式物置棚を組合わせて一つの物置棚にするための組合式物置板用フックを提供することにある。
【課題を解決するための手段】
【０００５】
上述の目的を達成するために本考案の請求項に記載の組合式物置板用フックは、係止体は物置板と一体成形され、係止体の前側には溝が設けられている。
【０００６】
係止体の前側には溝が設けられ、係止体が物置板の四つの角部にある鉄製素子と係合するために、前記溝の他側には貫通孔が開けられている。
【０００７】
本考案による組合式物置板用フックによれば、単一の組合式物置棚を多数組み合わせて一つの物置棚にすることが可能となる。
【考案を実施するための最良の形態】
【０００８】
以下、本考案の第一実施例を図面に基づいて説明する。
図１から図８は、本考案の第一実施例を示す。
本考案の実施例による組合式物置板用フックは、図１と図２に示すように、係止体２は物置板１と一体成形され、係止体２の前側には溝３が設けられている。本実施例による組合式物置板用フックによれば、複数の物置棚４を組み合わせて一つにすることが可能である。本実施例による物置板１は係止体２と一体成形された構造である。図５と図６に示すように、係止体２にある溝３は物置棚４の鉛直チューブ５と合わせて係止すると、図３と図４に示すように、一つの物置棚になり、且つ快速に組立てて堅実な物置棚とすることが可能である。また、本実施例による物置板にあるフックの組み合わせは、図７に示すように、係止体２の溝３により複数の物置棚を一つの物置棚に組み合わせることが可能である。二つの物置板１を利用し、物置板１の係止体２の溝３により、図８に示すように、物置棚４の鉛直チューブ５が二つの物置板１間の溝３と合って係合可能となり、ひいては複数の物置棚を一つの物置棚に組み合わせることが可能である。
【０００９】
図９から図１５は本考案の第二実施例を示す。係止体２の前側には溝３が設けられ、図１１に示すように、係止体２が物置板１の四つの角部にある鉄製素子７と係合するために、溝３の他側には貫通孔６が開けられている。これにより、本考案の実施例による組合式物置板用フックが構成される。本実施例では、図１３と図１４に示すように、物置板１の係止体２にある溝３は物置棚４の鉛直チューブ５と合って係止すると、図１２に示すように、一つの物置棚４となり、且つ快速に組立てて堅実な物置棚４になることが可能である。また、本実施例による物置板にあるフックの組み合わせは、物置板１の係止体２により複数の物置棚を一つの物置棚に組み合わせることが可能である。二つの物置板１の係止体２を利用し、係止体２の溝３が鉛直チューブ５に合って係合することが可能で、ひいては複数の物置棚を一つの物置棚に組合うことが可能である。
【００１０】
よって、本考案に係る組合式物置板用フックは物置板にある溝により、複数の物置棚を一つの物置棚に組み合わせることが可能で、且つ快速に組立てて堅実な物置棚にすることが可能である。
【図面の簡単な説明】
【００１１】
【図１】本考案の第一実施例による組合式物置板用フックを示す正面からの斜視概略図である。
【図２】本考案の第一実施例による組合式物置板用フックを示す背面からの斜視概略図である。
【図３】本考案の第一実施例による組合式物置板用フックを使用する分解斜視図である。
【図４】本考案の第一実施例による組合式物置板用フックを使用した物置棚の斜視図である。
【図５】図４におけるＡ矢方向からみた図である。
【図６】図５におけるＢ−Ｂ線断面図である。
【図７】本考案の第一実施例による物置棚の斜視図である。
【図８】図７の一部の拡大図である。
【図９】本考案の第二実施例による組合式物置板用フックを示す正面からの斜視概略図である。
【図１０】本考案の第二実施例による組合式物置板用フックを示す背面からの斜視概略図である。
【図１１】図９の一部の分解斜視図である。
【図１２】本考案の第二実施例による組合式物置板用フックを使用した物置棚の斜視図である。
【図１３】図１２におけるＤ−Ｄ線断面図である。
【図１４】図１３におけるＥ−Ｅ線断面図である。
【図１５】本考案の第二実施例による物置棚の斜視図である。
【符号の説明】
【００１２】
１  物置板、２  係止体、３  溝、４  組合式物置棚、５  鉛直チューブ、６  貫通孔、７  鉄製素子
【図１】
0003107135.tif 000003
【図２】
0003107135.tif 000004
【図３】
0003107135.tif 000005
【図４】
0003107135.tif 000006
【図５】
0003107135.tif 000007
【図６】
0003107135.tif 000008
【図７】
0003107135.tif 000009
【図８】
0003107135.tif 000010
【図９】
0003107135.tif 000011
【図１０】
0003107135.tif 000012
【図１１】
0003107135.tif 000013
【図１２】
0003107135.tif 000014
【図１３】
0003107135.tif 000015
【図１４】
0003107135.tif 000016
【図１５】
0003107135.tif 000017
(57)【要約】      （修正有）【課題】光沢を押さえた黒・茶系統の色に着色された鮎の友釣り用鼻環は、挿通端が視認しづらく、鼻環を鮎の鼻孔に通す時に苦労することが多い。特に老眼の人は、黒・茶系統の色が見づらいので、とりわけ挿通端の位置がわかりづらく、鼻環を通すに手間取っていた。その為、おとり鮎が弱ってしまい、鮎が釣れにくくなるということがあった。そこで、老眼の人でも鼻環の挿通端の位置を把握しやすくし、容易に鼻環を鮎の鼻孔に通すことができるようにする。【解決手段】鮎の友釣り用の鼻環において、挿通端１を視認性の良い色に着色する。【選択図】図２
0003107179.tif 000002
【実用新案登録請求の範囲】
【請求項１】
鮎の鼻孔に通す鼻環において、挿通端を前記挿通端を除く円周部よりも視認性の良い色に着色したことを特徴とする鮎の友釣り用鼻環。
【考案の詳細な説明】
【技術分野】
【０００１】
本考案は、鮎の友釣りに用いる鼻環に関するものである。
【背景技術】
【０００２】
従来の鼻環はワイヤーを略環状に曲げただけのものや、略Ｕ字型に曲げて一方の端をＬ字型に曲げ、前記Ｌ字型部にスプリングやビニールチューブを他方端に近接するように装着したものがある。
【０００３】
鼻環には金メッキやニッケルメッキをしたものあるが、これらの鼻環は、金属系の光沢がある為、視認性がよく、挿通端の位置がつかみやすいので、鼻環を鮎の鼻孔に通しやすいが、水中で鼻環が反射した光に反応した雑魚が掛かりやすくなるという欠点があった。
【０００４】
この欠点を解消するために、全周を黒・茶系統に着色し、光の反射を抑えた鼻環があるが、色が暗いので鼻環の挿通端の位置がつかみにくく、特に老眼の人は、挿通端の位置を確認するのに苦労することが多く、鮎の鼻孔に鼻環を通すのに手間取ることが多い。
【０００５】
鼻環を鮎の鼻孔に通しやすくするために鼻環の構造を改良したものは多数あった。（例えば文献１−３参照）。しかし、本考案のような鼻環の挿通端の色を変えるという先願文献はなかった。
【特許文献１】特許公開平７−２１３２０６
【特許文献２】特許公開平１１−０３２６３４
【考案の開示】
【考案が解決しようとする課題】
【０００６】
解決しようとする問題点は、鼻環全体が黒・茶系統の色のものは、挿通端の位置が視認しずらく、その為鮎の鼻孔に鼻環を通すのに苦労するという点である。鼻環を通すのに手間取ると、おとり鮎が弱ってしまう。鮎の友釣りという釣り方は鮎の縄張り意識を利用した釣りであり、おとり鮎によって縄張りを侵された鮎が、おとり鮎を追っかけ、突進してきた時に、おとり鮎に装着した錨針に掛かることによって鮎を釣り上げるというものである。その為、おとり鮎が弱ると、鮎がおとり鮎を追っかけなくなるので鮎がつれなくなる。
【課題を解決するための手段】
【０００７】
本考案は、黒・茶系統に着色された鼻環でも、挿通端の位置が容易に確認できるようにする為に、鼻環の挿通端を前記挿通端を除く円周部よりも視認性の良い色に着色したことをを特徴とする。
【考案の効果】
【０００８】
本考案の鮎用鼻環は、挿通端を前記挿通端を除く円周部よりも視認性の良い色に着色することにより、挿通端の位置が視認しやすくなり、容易に鮎の鼻孔に鼻環を通すことができる。その為、おとり鮎を弱らせることがないので、鮎が掛かりやすくなるという利点がある。
【考案を実施するための最良の形態】
【０００９】
以下図面を参照して、本考案の実施の形態を説明する。図１は鮎用鼻環の一例を示したものであり、略Ｕ字形にワイヤーを曲げて形成された鼻環の一方の端をＬ字型に曲げ、前記Ｌ字型部２にビニールチューブ３を装着し他方端である挿通端１に近接する位置で切断することにより開閉部４を形成する。
【００１０】
図１の鼻環はコイル状に巻かれたワイヤーを直伸機で伸ばし、所定の鼻環の形状の型に沿わせて曲げて、ワイヤーを切断して得られる。これらの一連の作業は自動的に機械で行われる。
【００１１】
図２は図１の鼻環に本考案を実施したものであり、上記の機械行程で得られた鼻環の挿通端１から２ｍｍの位置までを、赤色の塗料が入った容器に漬け込んで着色する。着色部５が乾燥した後、Ｌ字型部２にビニールチューブ３を装着し他方端である挿通端１に近接する位置で切断することにより得られる。
【００１２】
着色する位置は挿通端１から１ｍｍ−４ｍｍのところまでが望ましく、また、色は実施例では赤色に着色したが、視認性の良い色なら何色でも構わない。
【図面の簡単な説明】
【００１３】
【図１】鼻環の一例。
【図２】本考案を実施した鼻環
【符号の説明】
【００１４】
１    挿通端
２    Ｌ字型部
３    ビニールチューブ
４    開閉部
５    着色部
【図１】
0003107179.tif 000003
【図２】
0003107179.tif 000004
(57)【要約】      （修正有）【課題】板紙を用いることにより、従来の木材を使用せず、限りある資源の節約をし、また、板紙を素材としており、耐水性を有し、軽量で、しかも、安価な紙製塔婆を開発・提供する。【解決手段】厚み１〜５ｍｍ位の板紙を、複数枚、型抜きし、これらを重ね合わせ、各板紙を固定手段により一体に固定し、表面および裏面の板紙１ａには、木目模様Ｘをグラビア印刷で施し、打ち抜き破断面の小口面を耐水材３で塗装する紙製塔婆から構成される。【選択図】図１
0003107129.tif 000002
【実用新案登録請求の範囲】
【請求項１】
厚み１〜５ｍｍ位の板紙（１）を、複数枚、型抜きし、これらを重ね合わせ、各板紙（１）を固定手段（２）により一体に固定し、表面および裏面の板紙（１ａ）（１ｂ）には、木目模様（Ｘ）をグラビア印刷で施し、打ち抜き破断面の小口面を耐水材（３）で塗装することを特徴とすると紙製塔婆。
【請求項２】
固定手段（２）が、高周波接着するか、揮発性の有機溶剤を含む接着剤で接着することを特徴とする実用新案登録請求の範囲第１項記載の紙製塔婆。
【請求項３】
耐水材（３）が、樹脂コートか、塗料であることを特徴とする実用新案登録請求の範囲第１項記載の紙製塔婆。
【考案の詳細な説明】
【技術分野】
【０００１】
この考案は、紙製塔婆に関する。
【背景技術】
【０００２】
従来、葬祭用具には種々あり、例えば、位牌、塔婆、神棚、骨つぼ、さかき立て、三宝、数珠、納棺用品、花立て、ひつぎ、仏壇、へいじ、みこし、木魚、輪灯等がある。
【０００３】
しかし、このような葬祭用具には永久的なものから、絵馬や塔婆のように、一時期過ぎてしまうと、廃棄してしまうものが存在する。
【０００４】
このように、一過性の葬祭用具に、木材が使用されており、木材資源には限度があり、木材の伐採は、地球環境保護する面から問題がある。
しかし、塔婆の素材がプラスチックとか、表面がアルミニウムで内部に、発泡性樹脂を争点したものがあった。（例えば、特許文献１および特許文献２のように）
【特許文献１】登録第３０５３６４５号公報
【特許文献２】特開２００３−１９９６６６号公報
【０００５】
そこで、この考案は、塔婆の素材を、木材、プラスチック、アルミ等に変えて、紙の板材で製造しようとするものであるが、製造上、問題があった。即ち、板紙を、のこ、刃物、レーザーカット等のカット加工では工程上、コストがかかりすぎるという欠点があった。
【考案の開示】
【考案が解決しようとする課題】
【０００６】
そこで、この考案は、限りある資源である木材を使用せず、板紙を用いることにより、耐水性も有し、焼却処分も比較的簡単で、しかも、安価な紙製塔婆を開発・提供することにある。
【課題を解決するための手段】
【０００７】
上記目的を達成するために、適宜な厚みを有する板紙を、複数枚、型抜きし、これらを重ね合わせ、各板紙を固定手段により一体に固定し、表面および裏面の板紙には、木目模様をグラビア印刷で施し、打ち抜き破断面の小口面を耐水材で塗装する紙製塔婆である。
【考案の効果】
【０００８】
この考案によると、木材を使用しないため、限られた資源を無駄使いすることがなく、板紙（１）を用いることにより完全（１００％）リサイクルが可能であり、また、製造工程で廃棄されるスクラップも同様であり、板紙（１）であっても、表裏両面は木目模様（Ｘ）をグラビア印刷しており、墨で記載しても滲んだり、水による剥げ落ちがなく、打ち抜き破断面の小口面を耐水材（３）で塗装しており、水や湿気が内部に侵入することがなく、原材料の安定供給ができ、資源の枯渇がない等極めて有益なる効果を奏する。
【実施例】
【０００９】
次に、この考案の一実施例を図面に従って、詳述すると、厚み１〜５ｍｍ位の板紙（１）を、複数枚、型抜きし、これらを重ね合わせ、各板紙（１）を固定手段（２）により一体に固定し、表面および裏面の板紙（１ａ）（１ｂ）には、木目模様（Ｘ）をグラビア印刷で施し、打ち抜き破断面の小口面を耐水材（３）で塗装することを特徴とすると紙製塔婆から構成される。
【００１０】
尚、板紙（１）が、二枚合紙の場合は、直線部分を半切罫線を入れ、左右対象に型抜きすれば見当合わせも折り畳むことにより、簡単に行える。
【００１１】
また、固定手段（２）として、高周波接着を用いる際、高周波接着、または、特殊有機材「揮発性」の接着剤を用いるものである。
【００１２】
そして、高周波接着する場合には、板紙（１）の片面に、樹脂コートやフィルムコートを用いれば、乾燥接着でなく、瞬時に溶融接着ができ、板紙（１）が伸び縮みしない。
【００１３】
さらに、板紙（１）を打ち抜いた破断面の小口に、耐水材（３）として、樹脂コートか、塗料を塗ることにより、各板紙（１）間の剥離も生ぜず、また、地面からの水分の吸い上げもなく、樹脂コートで解決できるものである。
【産業上の利用可能性】
【００１４】
この考案は、紙製塔婆の製造技術を確立し、この塔婆を大量に製造及び販売することにより、産業上利用可能性がある。
【図面の簡単な説明】
【００１５】
【図１】この考案の一実施例を示す一部欠截斜視図である。
【図２】この考案の一実施例を示す断面図である。
【符号の説明】
【００１６】
１  板紙
１ａ  表面の板紙
１ｂ  裏面の板紙
２  固定手段
３  耐水材
Ｘ  木目模様
【図１】
0003107129.tif 000003
【図２】
0003107129.tif 000004
(57)【要約】      （修正有）【課題】歯みがき後の保管中においても雑菌等が増殖しにくく、また不快な臭いも生じにくい衛生的な歯ブラシの提供。【解決手段】銀イオンによる被膜層１ａを有する刷毛１を植設した。【選択図】図１
0003107130.tif 000002
【実用新案登録請求の範囲】
【請求項１】
銀イオンによる被膜層を有する刷毛を植設したことを特徴とする歯ブラシ。
【請求項２】
刷毛がナイロン製であることを特徴とする請求項１記載の歯ブラシ。
【考案の詳細な説明】
【技術分野】
【０００１】
本考案は歯ブラシに関する。
【背景技術】
【０００２】
歯ブラシは、雑菌や栄養分の多い口腔内において使用されるものであるが、歯みがき後は単に水洗いされて保管されていたに過ぎなかった。そのため、この保管中に雑菌等が増殖し易いと共に、不快な臭いも発生し易く、衛生上問題となっていたのが実状であった。
【考案の開示】
【考案が解決しようとする課題】
【０００３】
本考案は斯かる従来の問題と実状に鑑みてなされたもので、歯みがき後の保管中においても雑菌等が増殖しにくく、また不快に臭いも生じにくい衛生的な歯ブラシを提供することを課題とする。
【課題を解決するための手段】
【０００４】
本考案歯ブラシは、銀イオンによる被膜層を有する刷毛を植設することにより上記課題を解決したものである。
【考案の効果】
【０００５】
本考案歯ブラシの刷毛には、銀イオンによる被膜層が存在しているため、雑菌等の増殖が抑制され、また不快な臭いの発生も抑制されるので、歯みがき使用後においても歯ブラシを衛生的に保管することができる。
【考案を実施するための最良の形態】
【０００６】
以下本考案をその実施の形態を示す図面と共に更に説明する。
【０００７】
図１は本考案歯ブラシに用いる刷毛の拡大断面説明図である。
該図１において、１はナイロン製の刷毛で、その表面には銀イオンによる被膜層１ａが形成されている。
【０００８】
図２は本考案歯ブラシの概略側面説明図である。
該図２において、２０は歯ブラシで、その植毛台部２１には、上記した銀イオンによる被膜層１ａを有する刷毛１が適宜数まとめられた刷毛束１０として植設されている。
【図面の簡単な説明】
【０００９】
【図１】本考案歯ブラシに用いる刷毛の拡大断面説明図。
【図２】本考案歯ブラシの概略側面説明図。
【符号の説明】
【００１０】
１：刷毛
１ａ：銀イオンによる被膜層
１０：刷毛束
２０：歯ブラシ
２１：植毛台部
【図１】
0003107130.tif 000003
【図２】
0003107130.tif 000004